(57)【要約】【課題】空気浄化装置に使用される錠剤投入機構において、錠剤投入機構内の電解促進錠剤が潮解するのを抑制することを目的とする。【解決手段】吸気口２と吹出口６とを有する本体ケース１内に設けられた送風機７と空気浄化部５と備え、空気浄化部５は、水を貯水する貯水容器１４と、貯水容器１４に水を供給するタンク部材１５と、貯水容器１４内に電解促進錠剤２１を入れる錠剤投入機構１８と、貯水容器１４内の水で電解水を生成する電解ユニット１７と、貯水容器１４内の水に一部が浸漬したフィルター部分１６とを備え、錠剤投入機構１８と貯水容器１４と連通する上下方向に延びた連通ガイド２２を備え、錠剤投入機構１８から投入される電解促進錠剤２１は連通ガイド２２内を落下して貯水容器１４に入り、タンク部材１５は貯水容器１４に装着され、錠剤投入機構１８はタンク部材１５より上方へ設けられている。【選択図】図６
2018121827.tif 000002
【特許請求の範囲】
【請求項１】
吸気口と吹出口とを有する本体ケースと、
前記本体ケース内に設けられた送風機と空気浄化部と備え、
前記空気浄化部は、
水を貯水する貯水容器と、
前記貯水容器に水を供給するタンク部材と、
前記貯水容器内に電解促進錠剤を入れる錠剤投入機構と、
前記貯水容器内の水で電解水を生成する電解ユニットと、
前記貯水容器内の水に一部が浸漬したフィルター部分とを備え、
前記送風機によって前記吸気口から吸い込まれた空気が前記フィルター部分を介して前記吹出口へ送風され、
前記錠剤投入機構と前記貯水容器と連通する上下方向に延びた筒形状の連通ガイドを備え、
前記錠剤投入機構から投入される前記電解促進錠剤は前記連通ガイド内を落下して前記貯水容器に入り、
前記タンク部材は前記貯水容器に装着され、前記錠剤投入機構は前記タンク部材より上方へ設けられたことを特徴とする空気浄化装置。
【請求項２】
前記連通ガイドは、複数の屈曲部を有することを特徴とする請求項１に記載の空気浄化装置。
【請求項３】
前記連通ガイドは、前記錠剤投入機構の下方から下方向に延びた第１のガイドと、第２のガイドと、第３のガイドとを有し、
前記第２のガイドは、前記第１のガイドと前記第３のガイドよりも傾斜が緩やかであることを特徴とする請求項２に記載の空気浄化装置。
【請求項４】
前記送風機は、
スクロール形状のケーシング部と、
前記ケーシングに固定されたモータ部と、
前記モータによって回転する羽根部とを有し、
前記連通ガイドは、前記ケーシング部に接して配置されていることを特徴とする請求項１から３のいずれかに記載の空気浄化装置。
【請求項５】
前記連通ガイドは、前記錠剤投入機構に着脱自在であることを特徴とする請求項１から４のいずれかに記載の空気浄化装置。
【請求項６】
前記連通ガイドは、
一方側の側面には上下方向に延びた開口部を有し、
前記開口部は前記ケーシング部によって塞がれることを特徴とする請求項５に記載の空気浄化装置。
【請求項７】
前記連通ガイドは、
前記電解促進錠剤の落下方向における断面形状がＵ字形状であることを特徴とする請求項６に記載の空気浄化装置。
【請求項８】
前記タンク部材は、
前記連通ガイドの一部を挟む凸部を備えたことを特徴とする請求項１から７のいずれかに記載の空気浄化装置。
【発明の詳細な説明】
【技術分野】
【０００１】
本発明は、貯水容器内の水に電解促進錠剤を入れる錠剤投入機構と、貯水容器の水で電解水を生成する電解ユニットを備えた空気浄化装置に関するものである。
【背景技術】
【０００２】
従来、この種の電解促進錠剤投入装置では、カートリッジ部に電解促進錠剤を備えたものが知られている（例えば、特許文献１参照）。
【０００３】
以下、その電解促進錠剤投入装置について図９を参照しながら説明する。
【０００４】
図９に示すように、水を電気化学的に処理する電極を備えた電解ユニット１００が配設される水槽１０１と、この水槽１０１に給水する給水タンク１０２と、水槽１０１に電解促進錠剤１０３を投入する投入機構部１０４とを有していた。投入機構部１０４は、電解促進錠剤１０３を内包したケース１０５と、可動案内部材部１０６と、可動部材１０７とを備えている。ケース部１０５から電解促進錠剤１０３が、可動案内部材部１０６の空洞部１０８に供給され、この空洞部１０８に供給された電解促進錠剤１０３は、空洞部１０８を摺動する可動部材１０７によって、水槽１０１へ押し出される。
【先行技術文献】
【特許文献】
【０００５】
【特許文献１】特開２０１３−５２３５５号公報
【発明の概要】
【発明が解決しようとする課題】
【０００６】
このような従来の空気浄化装置は、錠剤投入機構は、貯水容器の水面近くに配置されていたので、錠剤投入機構内の電解促進錠剤が潮解し、電解促進錠剤が錠剤投入機構と固着したり、電解促進錠剤同士が固着したりする場合があった。
【０００７】
そこで本発明は、上記従来の課題を解決するものであり、錠剤投入機構内の電解促進錠剤が潮解し、電解促進錠剤が錠剤投入機構と固着したり、電解促進錠剤同士が固着したりすることを抑制できる空気浄化装置を提供することを目的とする。
【課題を解決するための手段】
【０００８】
そして、この目的を達成するために、本発明は、吸気口と吹出口とを有する本体ケースと、前記本体ケース内に設けられた送風機と空気浄化部と備え、前記空気浄化部は、水を貯水する貯水容器と、前記貯水容器に水を供給するタンク部材と、前記貯水容器内に電解促進錠剤を入れる錠剤投入機構と、前記貯水容器内の水で電解水を生成する電解ユニットと、前記貯水容器内の水に一部が浸漬したフィルター部分とを備え、前記送風機によって前記吸気口から吸い込まれた空気が前記フィルター部分を介して前記吹出口へ送風され、前記錠剤投入機構と前記貯水容器と連通する上下方向に延びた筒形状の連通ガイドを備え、前記錠剤投入機構から投入される前記電解促進錠剤は前記連通ガイド内を落下して前記貯水容器に入り、前記タンク部材は前記貯水容器に装着され、前記錠剤投入機構は、前記タンク部材より上方へ設けられたことを特徴としたものであり、これにより所期の目的を達成するものである。
【発明の効果】
【０００９】
本発明によれば、吸気口と吹出口とを有する本体ケースと、前記本体ケース内に設けられた送風機と空気浄化部と備え、前記空気浄化部は、水を貯水する貯水容器と、前記貯水容器に水を供給するタンク部材と、前記貯水容器内に電解促進錠剤を入れる錠剤投入機構と、前記貯水容器内の水で電解水を生成する電解ユニットと、前記貯水容器内の水に一部が浸漬したフィルター部分とを備え、前記送風機によって前記吸気口から吸い込まれた空気が前記フィルター部分を介して前記吹出口へ送風され、前記錠剤投入機構と前記貯水容器と連通する上下方向に延びた筒形状の連通ガイドを備え、前記錠剤投入機構から投入される前記電解促進錠剤は前記連通ガイド内を落下して前記貯水容器に入り、前記タンク部材は前記貯水容器に装着され、前記錠剤投入機構は、前記タンク部材より上方へ設けられた。
【００１０】
以上の構成により、錠剤投入機構は、タンク部材より上方へ設けられ、貯水容器内の水と離れているので、錠剤投入機構内の電解促進錠剤が潮解するのを抑制し、電解促進錠剤が錠剤投入機構と固着したり、電解促進錠剤同士が固着したりすることを抑制できる。
【図面の簡単な説明】
【００１１】
【図１】本発明の実施の形態１の空気浄化装置を示す斜視図
【図２】同空気浄化装置を示す斜視図
【図３】同空気浄化装置を示す右面から見た断面図
【図４】同空気浄化装置を示す右面から見た断面図
【図５】同空気浄化装置の錠剤投入機構を示す斜視図
【図６】同空気浄化装置を示す正面から見た断面図
【図７】同空気浄化装置の連通ガイドを示す斜視図
【図８】同空気浄化装置のタンク部材を示す斜視図
【図９】従来の空気浄化装置の錠剤投入機構を示す斜視図
【発明を実施するための形態】
【００１２】
以下、本発明の実施の形態について図面を参照しながら説明する。
【００１３】
（実施の形態１）
図１は、本発明の実施の形態１の空気浄化装置の斜視図であり、空気浄化装置を前面側から見た図である。図２は、本発明の実施の形態１の空気浄化装置の斜視図であり、パネルを開いて空気浄化装置を前面側から見た図である。
【００１４】
図１、２に示すように、本実施形態の空気浄化装置においては、略箱形状の本体ケース１を備え、本体ケース１の両側面には略四角形状の吸気口２を有している。本体ケース１の前面側から見て、右側の側面（本体ケース１の一方側の側面）である第１の本体側面１Ａには、開閉可能なパネル３を備えている。パネル３を開くと、縦長四角形状の開口４が現れる。開口４から後述する本体ケース１内の空気浄化部５を取り出すことが出来る。本体ケース１の一方側の側面の吸気口２は、パネル３に設けられている。本体ケース１の天面には、開閉式の吹出口６を備えている。図１、２では、吹出口６は、閉じた状態である。
【００１５】
図３は、本発明の実施の形態１の空気浄化装置の断面図であり、空気浄化装置を右側から見た図である。図４は、本発明の実施の形態１の空気浄化装置の断面図であり、空気浄化装置における右側から見た図である。
【００１６】
図２、図３、図４に示すように、本体ケース１内には、送風機７と、空気浄化部５と、風路８と、を備えている。
【００１７】
送風機７は、本体ケース１の中央部に設けられ、モータ部９と、モータ部９により回転するファン部１０と、それらを囲むスクロール形状のケーシング部１１とを備えている。モータ部９は、ケーシング部１１に固定されている。
【００１８】
ファン部１０は、シロッコファンで、モータ部９から水平方向に延びた回転軸９ａに固定され、モータ部９は、ケーシング部１１に固定されている。モータ部９の回転軸９ａは、本体ケース１の前面側から背面側に延びている。ケーシング部１１は、ケーシング部１１の本体ケース１における上面側に吐出口１２を備え、ケーシング部１１の本体ケース１における背面側に吸込口１３を有している。
【００１９】
空気浄化部５は、貯水容器１４と、タンク部材１５と、フィルター部分１６と、電解ユニット１７と、錠剤投入機構１８とを備えている。
【００２０】
貯水容器１４は、天面を開口した箱形状をしており、水を貯水できる構造となっており、本体ケース１の下部に配置され、本体ケース１から水平方向にスライドして着脱可能となっている。貯水容器１４は、タンク部材１５から供給される水を貯水する。
【００２１】
タンク部材１５は、本体ケース１内部の一方側の側面に設置され貯水容器１４から着脱可能な構造となっている。タンク部材１５は、貯水容器１４の底面に設けられたタンク保持部１４ａに装着されている。タンク部材１５は、水を貯水するタンク１５ａと、タンクの開口（図示せず）に設けられた蓋１５ｂとを備えている。蓋１５ｂの中央には、開閉手段（図示せず）が設けられており、この開閉手段が開くと、タンク１５ａ内の水が、貯水容器１４へ供給される。具体的には、タンク１５ａの開口を下向きにして、タンク部材１５を貯水容器１４のタンク保持部１４ａに取り付けると、タンク保持部１４ａによって開閉手段が開く。つまり、タンク部材１５に水を入れてタンク保持部１４ａに取り付けると、開閉手段が開いて貯水容器１４に給水され、貯水容器１４内に水が溜まる。貯水容器１４内の水位が上昇して蓋のところまで到達するとタンク部材１５の開口が水封されるので給水が停止し、タンク部材１５の内部には水が残り、貯水容器１４内の水位が下がった場合に都度、タンク１５ａ内部の水が貯水容器１４に給水される。即ち、貯水容器１４内の水位は一定に保たれる。
【００２２】
フィルター部分１６は、貯水容器１４に貯水された水と、送風機７によって本体ケース１内に吸込まれた室内空気とを接触させる部材である。円筒状に構成され、円周部分に空気が流通可能な孔を備えたフィルター１６ａを配置し、その一端が貯水容器１４の水に浸漬するように、フィルター１６ａの中心軸を回転中心として貯水容器１４に回転自在に内蔵されている。そして、駆動部（図示しない）による回転され、水と室内空気を連続的に接触させる構造となっている。
【００２３】
電解ユニット１７、水槽水に第１の電極、第２の電極（図示せず）を浸らせ、これら第１の電極と第２の電極とに電圧を印加し、錠剤投入機構１８によって投入される電解促進錠剤２１が入った貯水容器１４内の水を電気化学的に処理するものである。なお、電解促進錠剤２１の一例は、塩化ナトリウムである。
【００２４】
風路８は、吸気口２と吹出口６とを連通し、この風路８には、吸気口２から順に、空気浄化部５（貯水容器１４、フィルター部分１６）、送風機７、吹出口６を備えている。モータ部９によってファン部１０が回転すると、吸気口２から風路８内に入った外部の空気は、順に、フィルター１６ａ、送風機７、吹出口６を介して、吹き出される。
【００２５】
図５は、本発明の実施の形態１の空気浄化装置内設置の錠剤投入機構の斜視図である。
【００２６】
錠剤投入機構１８は、図５に示すように、錠剤投入ケース１９と、錠剤投入ケース１９内に設けた錠剤投入部材（図示せず）と、錠剤投入ケース１９の上部に着脱自在に設けられた錠剤投入カバー２０とを備えている。錠剤投入ケース１９から錠剤投入カバー２０を外し、錠剤投入ケース１９内に電解促進錠剤２１を入れておくと、錠剤投入部材が回動し、自動的に電解促進錠剤２１を錠剤投入ケース１９の底面の落下開口１９ａより落下させる。
【００２７】
図６は、本発明の実施の形態１の空気浄化装置の断面図であり、パネルを開いて空気浄化装置を正面側から見た図である。
【００２８】
図４、６に示すように、空気浄化装置は、錠剤投入機構１８は、タンク部材１５より上方へ設けられ、錠剤投入機構１８と貯水容器１４と連通する上下方向に延びた筒形状の連通ガイド２２を備えている。錠剤投入機構１８から投入される電解促進錠剤２１は、連通ガイド２２を落下して貯水容器１４に入る。
【００２９】
これにより、錠剤投入機構１８は、タンク部材１５より上方へ設けられており、貯水容器１４内の水と離れているので、電解促進錠剤２１が湿気によって潮解し難く、電解促進錠剤２１が錠剤投入ケース１９と固着したり、電解促進錠剤同士が固着したりすることを抑制できる。
【００３０】
また、連通ガイド２２は、複数の屈曲部２３を有する。具体的には、連通ガイド２２は、錠剤投入機構の下方から下方向に延びた第１のガイド２４と、第２のガイド２５と、第３のガイド２６とを有している。第１のガイド２４と第３のガイド２６の軸方向は、ほぼ鉛直方向であり、第２のガイド２５の軸方向は、斜め下方に傾斜している。つまり、第２のガイド２５は、第１のガイド２４と第３のガイド２６よりも傾斜が緩やかである。これにより、第１のガイド２４と第２のガイド２５との間と、第２のガイド２５と第３のガイド２６との間とに屈曲形状である屈曲部２３ができる。なお、電解促進錠剤２１が連通ガイド２２内を通過するときに、電解促進錠剤２１と連通ガイド２２内面とが擦れ、電解促進錠剤２１の粉が発生し、連通ガイド２２の内面に付着する。この粉は、通常、連通ガイド２２の内面から取れ易いが、湿度の変化や、水が付着し再び乾燥すると、連通ガイド２２の表面に固着し、取れにくくなる。これを繰返すと、大きな塊になる場合がある。そこで、連通ガイド２２に複数の屈曲部２３を設けることによって、連通ガイド２２に水が付着することを低減する。つまり、錠剤投入機構１８から落下した電解促進錠剤２１は、連通ガイド２２の屈曲部２３の近傍に当たりながら落下するので、落下速度が減速し、貯水容器１４の水面に着水するとき、水しぶきがあがりにくくなる。これにより、連通ガイド２２に電解促進錠剤２１の粉が固着しにくくなり、電解促進錠剤２１が詰まることを抑制できる。
【００３１】
図３、４、６に示すように、連通ガイドは２２、ケーシング部１１に沿うように接して配置されている。ケーシング部１１は、モータ部９を固定するモータ面部分２７と、吸込口１３を有する吸込面部分２８と、モータ面部分２７と吸込面部分２８との周縁部を連結するスクロール形状のスクロール面部分２９とを備えている。本体ケース１のパネル３を開き、本体ケース１内からタンク部材１５を外し、開口４から本体ケース１内を見ると、ケーシング部１１のスクロール面部分２９が見える。開口４から見えるスクロール面部分２９は、上下方向に延び開口４に一方面が対向した平面３０と、平面の下端から内方へ延びた曲面３１とを備えている。連通ガイド２２の第１のガイド２４は、平面３０に接し、連通ガイド２２の第２のガイド２５は、曲面３１に接している。
【００３２】
これにより、ファン部１０が回転することによって発生する振動により、ケーシング部１１も振動する。この振動するケーシング部１１に接している連通ガイド２２も振動するので、連通ガイド２２の内面に付着した電解促進錠剤２１の粉が、連通ガイド２２の内面からとれるので、連通ガイド２２内で電解促進錠剤２１が詰まることを抑制できる。
【００３３】
図７は、本発明の実施の形態１の空気浄化装置の連通ガイドの斜視図である。図６、７に示すように、連通ガイド２２は、錠剤投入機構１８に着脱自在である。具体的には、連通ガイド２２の上部と下部に設けられた爪３２と、スクロール面部分２９側に設けられた着脱可能な引っ掛け爪（図示せず）によって固定されている。この構造において、連通ガイド２２は、下方向に力をかけることで取り外すことができ、上方向に力をかけることで装着できるので、連通ガイド２２内のお手入れが容易となる。
【００３４】
また、連通ガイド２２は、一方側の側面には上下方向に延びた開口部３３を有している。この開口部３３はケーシング部１１によって塞がれる。連通ガイド２２は、電解促進錠剤２１の落下方向における断面形状がＵ字形状であるので、連通ガイド２２内のお手入れがより容易となる。
【００３５】
図８は、本発明の実施の形態１の空気浄化装置のタンク部材の斜視図である。図８に示すように、タンク部材１５は、連通ガイド２２の一部を挟む凸部３４を備えている。これにより、タンクの容量が増えると共に、タンク部材１５を着脱するときに、タンク部材１５と凸部とが接触すると、連通ガイド２２が振動するので、連通ガイド２２の内面に付着した電解促進錠剤２１の粉が、連通ガイド２２の内面からとれるので、連通ガイド２２内で電解促進錠剤２１が詰まることを抑制できる。
【産業上の利用可能性】
【００３６】
本発明にかかる空気浄化装置は、家庭用や事務所用などに使用される空気浄化装置等として有用である。
【符号の説明】
【００３７】
１    本体ケース
１Ａ    第１の本体側面
２    吸気口
３    パネル
４    開口
５    空気浄化部
６    吹出口
７    送風機
８    風路
９    モータ部
９ａ    回転軸
１０    ファン部
１１    ケーシング部
１２    吐出口
１３    吸込口
１４    貯水容器
１４ａ    タンク保持部
１５    タンク部材
１５ａ    タンク
１５ｂ    蓋
１６    フィルター部分
１６ａ    フィルター
１７    電解ユニット
１８    錠剤投入機構
１９    錠剤投入ケース
１９ａ    落下開口
２０    錠剤投入カバー
２１    電解促進錠剤
２２    連通ガイド
２３    屈曲部
２４    第１のガイド
２５    第２のガイド
２６    第３のガイド
２７    モータ面部分
２８    吸込面部分
２９    スクロール面部分
３０    平面
３１    曲面
３２    爪
３３    開口部
３４    凸部
【図１】
2018121827.tif 000003
【図２】
2018121827.tif 000004
【図３】
2018121827.tif 000005
【図４】
2018121827.tif 000006
【図５】
2018121827.tif 000007
【図６】
2018121827.tif 000008
【図７】
2018121827.tif 000009
【図８】
2018121827.tif 000010
【図９】
2018121827.tif 000011